(57)【要約】【課題】検出された物体の位置のみではなく表示部を覆う物体の領域まで考慮して表示部を制御することにより、ユーザの視認性を高めることができる入力装置を提供する。【解決手段】オブジェクトを表示する表示部と、該表示部に対して押圧する物体の位置を検出する位置検出部と、該位置検出部により検出された物体の位置に基づいて前記表示部を覆う物体の領域を推定する領域推定部と、該領域推定部により推定された物体の領域に対応するオブジェクトを該物体の領域以外に表示する表示制御部と、を備える。【選択図】  図２
2011022958.tif 000002
【特許請求の範囲】
【請求項１】
オブジェクトを表示する表示部と、
該表示部に対して押圧する物体の位置を検出する位置検出部と、
該位置検出部により検出された物体の位置に基づいて前記表示部を覆う物体の領域を推定する領域推定部と、
該領域推定部により推定された物体の領域に対応するオブジェクトを該物体の領域以外に表示する表示制御部と、を備えることを特徴とする入力装置。
【請求項２】
前記表示部に対して押圧する物体の面荷重を検出する面荷重検出部をさらに備え、
前記領域推定部は、前記位置検出部により検出された物体の位置と物体の面荷重とに基づいて前記表示部を覆う物体の領域を推定する、請求項１に記載の入力装置。
【請求項３】
前記表示部に対して押圧する物体の指紋情報を検出する指紋情報検出部をさらに備え、
前記領域推定部は、前記位置検出部により検出された物体の位置と物体の指紋情報とに基づいて前記表示部を覆う物体の領域を推定する、請求項１に記載の入力装置。
【請求項４】
オブジェクトを表示する表示部と、
該表示部に対して押圧する物体の位置と、該物体の方向と、を検出する位置方向検出部と、
該位置方向検出部により検出された物体の位置と物体の方向とに基づいて前記表示部を覆う物体の領域を推定する領域推定部と、
該領域推定部により推定された物体の領域に対応するオブジェクトを該物体の領域以外に表示する表示制御部と、を備えることを特徴とする入力装置。
【発明の詳細な説明】
【技術分野】
【０００１】
本発明は入力装置に関するものであり、特にユーザ（操作者）からの入力に基づいてオブジェクトの表示を変更する入力装置に関するものである。
【背景技術】
【０００２】
従来、パーソナルコンピュータにおいてユーザが入力操作を行う場合は、専らキーボードやマウス等の入力デバイスを用いて、ディスプレイ装置に表示された各種のフォルダやファイルなどのアイコンをクリックする等して行われることが多かった。しかしながら、最近はこのような入力操作を、タッチパネルを備えたディスプレイ装置を用いて行うことができるようになってきている。画面上に表示された各種フォルダやファイルなどのアイコンに対する入力操作を、タッチパネルを用いて行う場合、マウスなどの入力デバイスによるクリック操作の代わりに、タッチパネルに指やスタイラスペン等でタッチする（触れる）操作を行うのが一般的である。
【０００３】
また、最近では、例えば携帯電話機やＰＤＡ（Personal Digital Assistant）、ディジタルカメラ等に代表される端末機器にもタッチパネルが搭載され、上述したパーソナルコンピュータの入力操作と同様の入力操作が端末機器でも行うことができるようになっている。つまり、ユーザは端末機器に搭載されたタッチパネルに対して、指やスタイラスペン等でタッチする入力操作を行うことにより、タッチパネルの表示部に表示されたフォルダやファイル等のオブジェクトを操作することができる。
【０００４】
このように、タッチパネルを用いた入力操作はユーザが、タッチパネルに指やスタイラスペン等で直接タッチをしてオブジェクトの操作を行うため、従来の入力操作と比較して、より直感的な操作を行うことができる。
【０００５】
ところが、その反面、オブジェクトを操作するためにタッチパネルに対して入力操作を行うと、タッチパネル上に指やスタイラスペン等を近づけるため、操作しようとするオブジェクトの全体や一部が指先などで隠れてしまい、適切なオブジェクトを指示することができているのか否かなど、指先などによって隠れた表示部の位置にどのオブジェクトがあるのか、正確に視認できないという状況が生じていた。
【０００６】
以上のような問題に対処し得るものとして、表示部にユーザの指等を近付けてユーザの指等の位置が検出されると、その検出位置に表示されている操作項目（オブジェクト）が拡大表示されるように、表示を変更する情報入力装置が提案されている（例えば、特許文献１参照）。
【０００７】
図１５は特許文献１に記載の情報入力装置のユーザの指等の位置に応じて、表示部に表示される操作項目を拡大表示する処理のフローチャートである。
【０００８】
表示部にユーザの指等を近付けてユーザの指等の位置が検出され、表示部の画面上における座標が特定されると（Ｓ１）、その検出された位置の座標に表示されている操作項目（オブジェクト）が拡大表示されるための処理が実行される（Ｓ２、Ｓ３）。この時、拡大表示された操作項目のタッチスイッチが押下して入力された場合に、文字情報が入力されるように、拡大表示された操作項目の表示範囲の座標の変更を行う（Ｓ４）。その後、ユーザによってタッチパネルのいずれかのタッチスイッチが押下されると、その押下位置の座標が判定され（Ｓ５）、この座標に対応して設定されている操作指示の入力が受け付けられる（Ｓ６）。
【先行技術文献】
【特許文献】
【０００９】
【特許文献１】特開２００４−３０２９５８号公報
【発明の概要】
【発明が解決しようとする課題】
【００１０】
上記特許文献１に記載の情報入力装置の場合、表示部にユーザの指等が近づいて検出された位置の座標情報、１点のみを基に表示部の処理を行っている。このため、指示しているオブジェクトのみを考慮して表示の変更処理が行われている。
【００１１】
しかしながら、オブジェクトを操作するためには表示部にユーザの指などを近づけて操作するため、操作するオブジェクト以外のオブジェクトまで、ユーザの指などにより隠れてしまう。すなわち、ユーザからは表示部にユーザの指などの物体が覆い被さってしまうため、視認性が悪くなってしまうという問題がある。
【００１２】
したがって、かかる事情を鑑みてなされた本発明の目的は、検出された物体の位置のみではなく表示部を覆う物体の領域まで考慮して表示部を制御することにより、ユーザの視認性を高めることができる入力装置を提供することである。
【課題を解決するための手段】
【００１３】
上記目的を達成する請求項１に係る入力装置の発明は、
オブジェクトを表示する表示部と、
該表示部に対して押圧する物体の位置を検出する位置検出部と、
該位置検出部により検出された物体の位置に基づいて前記表示部を覆う物体の領域を推定する領域推定部と、
該領域推定部により推定された物体の領域に対応するオブジェクトを該物体の領域以外に表示する表示制御部と、を備えることを特徴とするものである。
【００１４】
請求項２に係る発明は、請求項１に記載の入力装置において、
前記表示部に対して押圧する物体の面荷重を検出する面荷重検出部をさらに備え、
前記領域推定部は、前記位置検出部により検出された物体の位置と物体の面荷重とに基づいて前記表示部を覆う物体の領域を推定するものである。
【００１５】
請求項３に係る発明は、請求項１に記載の入力装置において、
前記表示部に対して押圧する物体の指紋情報を検出する指紋情報検出部をさらに備え、
前記領域推定部は、前記位置検出部により検出された物体の位置と物体の指紋情報とに基づいて前記表示部を覆う物体の領域を推定するものである。
【００１６】
上記目的を達成する請求項４に係る入力装置の発明は、
オブジェクトを表示する表示部と、
該表示部に対して押圧する物体の位置と、該物体の方向と、検出する位置方向検出部と、
該位置方向検出部により検出された物体の位置と物体の方向とに基づいて前記表示部を覆う物体の領域を推定する領域推定部と、
該領域推定部により推定された物体の領域に対応するオブジェクトを該物体の領域以外に表示する表示制御部と、を備えることを特徴とするものである。
【発明の効果】
【００１７】
本発明の入力装置によれば、表示部に対して押圧する物体の位置が検出されて、前記検出された物体の位置に基づいて推定される物体の領域が推定された場合、該物体が表示部を覆う物体の領域に基づいて表示部の制御を行う。したがって、本発明は、表示部に対して押圧する物体の位置のみではなく、表示部を覆う物体の領域まで考慮して表示部を制御することにより、ユーザの視認性を高めることができる。
【図面の簡単な説明】
【００１８】
【図１】本発明の第１実施の形態に係る入力装置の外観斜視図である。
【図２】第１実施の形態に係る入力装置の概略構成を示す機能ブロック図である。
【図３】第１実施の形態に係る入力装置のタッチパネルの構成態様を概略的に示す図である。
【図４】第１実施の形態におけるオブジェクトの表示変更処理を説明するフローチャートである。
【図５】第１実施の形態におけるオブジェクトの表示変更処理を詳細に説明するフローチャートである。
【図６】第１実施の形態に係る処理に基づく表示部の表示例を示す図である。
【図７】第２実施の形態に係る入力装置の概略構成を示す機能ブロック図である。
【図８】第２実施の形態におけるオブジェクトの表示変更処理を説明するフローチャートである。
【図９】第２実施の形態に係る処理に基づく表示部の表示例を示す図である。
【図１０】第３実施の形態に係る入力装置の概略構成を示す機能ブロック図である。
【図１１】第３実施の形態におけるオブジェクトの表示変更処理を説明するフローチャートである。
【図１２】第４実施の形態に係る入力装置の概略構成を示す機能ブロック図である。
【図１３】第４実施の形態に係る入力装置のタッチパネルの構成態様を概略的に示す図である。
【図１４】第４実施の形態におけるオブジェクトの表示変更処理を説明するフローチャートである。
【図１５】従来の情報入力装置による表示変更処理を説明するフローチャートである。
【発明を実施するための形態】
【００１９】
以下、本発明の各実施の形態について、図面を参照して説明する。以下の各実施の形態においては、本発明の入力装置の一例として、携帯電話やＰＤＡ等のような携帯端末であってタッチパネルを備えているものを想定して説明する。しかしながら、本発明の入力装置は、これら携帯端末に限定されるものではなく、例えば、ディジタルカメラ、ポータブルオーディオプレーヤ、ノートＰＣ、ミニノートＰＣ等の、入力装置を備える種々の端末とすることができる。また、本発明の入力装置は、携帯端末に限定されるものでもなく、銀行のＡＴＭや駅の乗車券販売機等、入力装置を備える任意の端末とすることもできる。
【００２０】
（第１実施の形態）
まず、本発明の第１実施の形態に係る入力装置について説明する。
【００２１】
図１は、本発明の第１実施の形態に係る入力装置の一例である携帯端末１０の概略構成を示す外観斜視図である。この携帯端末１０は、端末本体の前面に、一部切り欠いて示すように、表示部３０を備えている。表示部３０は、液晶ディスプレイ（ＬＣＤ）または有機ＥＬディスプレイなどで構成し、これに種々の情報およびキーやボタンなどの形状を描画してこれらの配列を表示する。また、この表示部３０の前面には、位置検出部４０を配設する。位置検出部４０は、ユーザの指やスタイラスなどによる押圧入力を受け付けるマトリクススイッチ等で構成する。
【００２２】
本実施の形態では、これら表示部３０と、位置検出部４０とを含めてタッチパネル２０を構成する。携帯端末１０はさらに、必要な機能に応じて、ディジタルカメラ機能部、ワンセグ放送用チューナ、赤外線通信機能部などの近距離無線通信部、および各種インタフェース等を備える場合もあるが、これらは全て公知技術を利用することができるため、詳細な説明および図示は省略する。
【００２３】
図２は、本実施の形態に係る携帯端末１０の内部構成を概略的に示す機能ブロック図である。図２に示すように、携帯端末１０は、表示部３０と位置検出部４０とを備えるタッチパネル２０と、領域推定部５０と、表示制御部６０と、を備えている。携帯端末１０は、さらに、携帯端末１０全体を制御および管理などを行う図示されていない制御部を備えている。本実施の形態においては、表示制御部６０が表示部３０の表示を制御する観点について詳述する。表示部３０は、操作キーやボタンなどの画像、ならびに入力を促す文字または文字列などを表示する。位置検出部４０は、表示部３０の前面に重ねて配設することにより、表示部３０に対してユーザにより操作された物体の押圧を受け付けて、その物体の位置を検出する。この物体とは、具体的にユーザの指先や、スタイラスのようなペン型デバイスなど、一般的にユーザが入力を行うために操作するものを示す。このような構成により、表示部３０に対して押圧される物体の位置を位置検出部４０が受け付けると共に、表示部３０は各アプリケーションに応じて入力結果など各種情報の表示を行う。
【００２４】
具体的には、位置検出部４０は、ユーザの指先やスタイラスなどの物体の接触（押圧）による入力を検知する（受け付ける）ことにより、位置検出部４０上で当該接触による入力が検知された位置に対応する信号を出力する。この位置検出部４０は、例えば抵抗膜方式や静電容量方式などのものを用いて構成する。表示部３０は、各アプリケーションに対応する表示を行う他、表示部３０に対するユーザの押圧入力を受け付けるための各種キーやボタンなどで構成するユーザインタフェースを所定の表示領域に描画して表示する。また、表示部３０は、アプリケーションまたは基本ソフトウェアなどの操作に用いられるフォルダやファイルなどのアイコンも表示する。以下、このように、表示部３０に対するユーザの押圧入力を位置検出部４０によって検出するに際し、表示部３０に表示する各種キーやボタンまたはフォルダやファイルのアイコンなどの画像を、単に「オブジェクト」と記す。
【００２５】
次に、上述した表示部３０と、位置検出部４０とを含めて構成されるタッチパネルの構成について、例を挙げて説明する。
【００２６】
図３は、図２に示した携帯端末１０の表示部３０、位置検出部４０の構成を概略的に示す図である。図３は、本発明によるタッチパネルの最も基本的な構成の例を示す図である。表示部３０は、ファイルやフォルダなどのオブジェクトを、ユーザが目視で認識できるように表示する。表示部３０の前面には、位置検出部４０を重ねて配設する。位置検出部４０は、ユーザが表示部３０に対して押圧する際の押圧の位置を検出する。位置検出部４０に使用される素子には、抵抗膜方式や静電容量方式、赤外線方式のタッチパネルを用いる。この場合、位置検出部４０は、重ねて配設したとしても表示部３０の表示を外部から視認できるように、例えば透明フィルムや透明ガラスなどで構成される素材を用いる。なお、図３は、本発明のタッチパネルを構成する部材の位置関係を明瞭に示すための概略図であり、実際は、タッチパネルを構成する各部材を、図に示すよりも近接して配設させることに留意すべきである。
【００２７】
次に、本実施の形態におけるオブジェクトの表示変更処理について説明する。
【００２８】
図４は、本実施の形態におけるオブジェクトの表示変更処理を説明するフローチャートである。なお、以下の説明において、表示部３０には、オブジェクトが少なくとも１つは表示されているものとする。
【００２９】
本願実施の形態において、表示部３０はオブジェクトを表示する。この表示部３０（タッチパネル２０）に対して、ユーザの指などによる外部からの押圧がなされると、位置検出部４０は表示部３０に対して当該押圧する物体の位置を検出する（ステップＳ１１）。この時、位置検出部４０にて検出された物体の位置がオブジェクトに対応した場合はオブジェクトが指示されたとし、例えば、指示されたオブジェクトの色を、他のオブジェクトと区別するために変更することも可能である。これによりユーザは指示されたオブジェクトがどれであるか視認することができる。
【００３０】
ステップＳ１１において表示部３０に対して押圧される物体の位置が検出されると、領域推定部５０は検出された該物体の位置に基づいて表示部３０を覆う（隠す）物体の領域を推定する（ステップＳ１２）。
【００３１】
ステップＳ１２において、表示部３０を覆う物体の領域が推定されると、推定された該物体の領域に対応するオブジェクトの有無を判定する（ステップＳ１３）。物体の領域に対応するオブジェクトの判定を行う場合、ステップＳ１２において、表示部３０を覆うユーザの指などの物体の領域は、物体の幅を考慮して、実際に推定された領域よりも少し広げた領域にしておくことが望ましい。物体の領域を広くすることにより、物体の領域が実際より狭い場合と比較して、物体の領域に対応するオブジェクトを漏らすことなく判定することができる。
【００３２】
ステップＳ１３において、物体の領域に対応するオブジェクトが無いと判定された場合（ステップＳ１３におけるＮｏ）は、表示部３０に表示されるオブジェクトを変更せずに処理を終了する。
【００３３】
一方、ステップＳ１３において、物体の領域に対応するオブジェクトが有ると判定された場合（ステップＳ１３におけるＹｅｓ）、表示制御部６０は、物体の領域に対応するオブジェクトを該物体の領域以外に表示する（ステップＳ１４）。物体の領域以外の領域とは、表示部３０において、領域推定部５０により推定された物体の領域以外の表示領域を示す。
【００３４】
その後、ステップＳ１３において、物体の領域に対応するオブジェクトが無いと判定されるまで、ステップＳ１４の表示変更処理を繰り返す。ステップＳ１４の表示変更処理は、物体の領域に対応するオブジェクト１つ１つに対して行うものとする。
【００３５】
ステップＳ１３において、物体の領域に対応するオブジェクトと判定されるための条件として、例えば、オブジェクトの面積のうち所定の閾値以上が物体の領域に覆われているものとしても良い。条件が無い場合、物体の領域に少しでもかかるオブジェクトは全て判定されてしまう。このため、ユーザが認識できているものまで、物体の領域に対応するオブジェクトと判定されてしまい、処理が増えてしまう。物体の領域に対応するオブジェクトと判定する際に、所定の条件を設けることにより、処理量の低減、消費電力を削減することができる。
【００３６】
図５は、上述したステップＳ１４において行われるオブジェクトの表示変更処理の詳細を説明するフローチャートである。
【００３７】
ステップＳ１３において、物体の領域に対応するオブジェクトが有ると判定された場合（ステップＳ１３におけるＹｅｓ）、物体の領域に対応するオブジェクトに対して、表示位置を変更できる方向（例えば、上、下、右、左など）の決定を行う（ステップＳ１４１）。このオブジェクトを変更できる方向は、位置検出部４０により検出された物体の位置と、領域推定部５０により推定された物体の領域と、に基づいて決定される。物体の領域が物体の位置からどの方向に広がっているかを判定し、該広がっている方向以外の方向を変更できる方向とする。
【００３８】
ステップＳ１４１において決定された変更できる方向の広さを検出する（ステップＳ１４２）。変更できる方向の広さは物体の領域と、該物体の領域に対応すると判定されたオブジェクトの大きさと、に基づいて検出をする。
まず、表示部３０に対して垂直、水平なオブジェクトの幅分の領域を求める。この領域をオブジェクトから見て、上方向の領域、下方向の領域、左方向の領域、右方向の領域に分ける。各領域内に存在する物体の領域のうち最も外側にある点を求める。例えば、上方向の領域である場合は最も上側（外側）にある点を求める。この求めた各点から各方向の表示部の端までの距離が、オブジェクトを変更できる方向の広さとなる。
【００３９】
ステップＳ１４２において求めたオブジェクトを変更できる各方向の広さを、各方向に存在するオブジェクトの個数で割り、オブジェクト１つ当たりの表示領域を求める。求めたオブジェクト１つ当たりの表示領域のうち最も値の大きい、表示領域に余裕がある方向を、オブジェクトを変更する方向として決定する（ステップＳ１４３）。
【００４０】
ステップＳ１４３において決定されたオブジェクトを変更する方向に、物体の領域に対応するオブジェクトを移動させる（ステップＳ１４４）。このように表示部３０の表示変更を行うことにより、タッチパネルを指示する物体によって複数のオブジェクトが隠れた場合においても、すべてのオブジェクトの認識を行うことができる。
【００４１】
また、ステップＳ１４４において、オブジェクトを変更する方向に、物体の領域に対応するオブジェクトをそのまま表示すると、空白領域が少ないため他のオブジェクト上に表示してしまう可能性が高い。そのため、例えば、オブジェクトを変更する方向に存在するオブジェクトと物体の領域に対応するオブジェクト、すべてのオブジェクトが被ることなく表示するためには、各オブジェクトを縮小して表示することにより、すべてのオブジェクトを確実に認識することが可能となる。
【００４２】
図６は上述したステップＳ１１から、ステップＳ１４（ステップＳ１４１からステップＳ１４４も含む）までの処理を行った場合の、携帯端末１０の表示部３０における動作例を示す図である。
【００４３】
図６（ａ）は、少なくとも１つのオブジェクトが表示される表示部３０に対して、押圧が検出された状態を示している。この時、位置検出部４０により表示部３０に対して押圧される物体の位置が検出される。
【００４４】
図６（ｂ）は、表示部３０を覆う物体の領域を推定している状態である。領域推定部５０は、位置検出部４０により検出された物体の位置に基づいて、表示部３０を覆う物体の領域を推定する。
【００４５】
図６（ｃ）は、領域推定部５０により推定された物体の領域内にオブジェクトが存在するかを判定している状態である。図では、表示部３０を押圧する物体がユーザの指であり、指の下には星型六角形のオブジェクトと四角形のオブジェクトがある。
【００４６】
図６（ｄ）、図６（ｅ）は、物体の領域から星型六角形のオブジェクトと四角形のオブジェクトのそれぞれが移動できる方向の判定を行い、該判定された方向の各領域の広さを検出している。
【００４７】
図６（ｄ）では、物体の領域が物体の位置から下方向に広がっているため、星型六角形のオブジェクトが移動できる方向は上、左、右の三方向となり、四角形のオブジェクトが移動できる方向も上、左、右の三方向となる。図６（ｅ）は星型六角形の各領域の広さを検出している例である。まず、表示部３０に対して垂直、水平なオブジェクトの幅分の領域を求める。この領域を各方向に分けて、各方向の領域内に存在する物体の領域のうち最も上側にある点をＡ（ｘａ，ｙａ）、最も左側にある点をＣ（ｘｃ，ｙｃ）、最も右側にある点をＤ（ｘｄ，ｙｄ）とする。
【００４８】
図６（ｅ）では、求めた各点から各方向の表示部の端までの距離を求める。図では、表示部の大きさを（ｘ，ｙ）、左上端を（０，０）とし、上方向の表示部の端までの距離（大きさ）をheight、左方向の大きさをleft、右方向の大きさをrightとする。それぞれの値はheight＝ｙａ、left＝ｘｃ 、right＝ｘ−ｘｄ、となる。この各方向の表示可能領域を、各方向に存在するオブジェクトの個数で割ることにより、オブジェクト１つ当たりの表示領域の広さを求め、表示領域に最も余裕がある方向の決定を行う。同図では、上方向にあるオブジェクトは七角形の１つ、左方向にあるオブジェクトは星型五角形の１つ、右方向にあるオブジェクトは星型五角形の１つ、であり、最も表示領域が広いのは左方向となる。なお、図示していないが、オブジェクトを変更できる方向が下側の場合は、下方向の領域内に存在する物体の領域のうち最も下側にある点Ｂ（ｘｂ，ｙｂ）を求める。下方向の表示部の端までの距離はｙ−ｙｂとなる。
【００４９】
図６（ｆ）は、物体の領域の対応するオブジェクトを、表示変更した状態のものである。表示制御部６０は、指に覆われている星型六角形のオブジェクトと四角形のオブジェクトとを、最も表示領域が広いと決定された左方向に移動して表示を行う。この時、ユーザが押圧（指示）している星型六角形のオブジェクトを他のオブジェクトと異なる色にすると、ユーザが、現在、どのオブジェクトを指示しているのか視認することができる。
【００５０】
指示しているオブジェクトが正しい場合は、例えばタッチパネル２０から物体を離すことによりオブジェクトの確定（入力）操作を行うことができる。オブジェクトの確定操作はタッチパネル２０から物体を離す以外にも、更にタッチパネル２０を押し込み、一定の荷重に達した場合や、オブジェクトを指示した状態で一定時間経過した場合などに、行うことができる。また、指示しているオブジェクトが間違っていた場合は、正しいオブジェクトを指示し直して正しい入力を行う。
【００５１】
このように、本実施の形態においては、表示部３０（タッチパネル２０）を覆う物体の領域を、表示部３０に対して押圧する物体の位置に基づいて推定することにより、物体によって隠れた全てのオブジェクトの視認をすることができるように、表示部３０の表示変更を行うことができる。
【００５２】
（第２実施の形態）
次に、本発明の第２実施の形態に係る入力装置の一例である携帯端末１０について説明する。
【００５３】
第２実施の形態に係る入力装置は、上述した第１実施の形態に係る入力装置１０において、領域推定部５０の動作を変更するものである。したがって、第２実施の形態に係る入力装置は、第１実施の形態で説明した入力装置と同じ構成により実施することができるため、上述した第１実施の形態と同じ説明は適宜省略する。
【００５４】
図７は、第２実施の形態に係る携帯端末１０の内部構成を概略的に示す機能ブロック図である。図７に示すように、携帯端末１０は、第１実施の形態に面荷重検出部７０をタッチパネル２０内に更に備えている。この面荷重検出部７０は、位置検出部４０の背面、表示部３０の前面に配設する。この面荷重検出部７０は、表示部３０に対して押圧する物体の面荷重を検出する。このため、面荷重検出部７０は、ユーザの指などの物体の面荷重を検出することができる圧力センサなどで構成される。この面荷重検出部７０は、表示部３０の前面に配設するため、シート状など表示部３０にかかる場合は、表示部３０の表示を外部から視認できるように、例えば透明電極や透明フィルムや透明ガラスなどで構成される素材を用いる。
【００５５】
次に、本実施の形態におけるオブジェクトの表示変更処理について説明する。
【００５６】
図８は、上述した第１実施の形態におけるオブジェクトの表示変更処理のうち、変更した領域推定部５０の動作を説明するフローチャートである。図４の第１実施の形態のフローチャートのステップＳ１２を変更したものであり、その他の動作は同一であるため、説明は省略する。
【００５７】
変更された領域推定部５０は、位置検出部４０により検出された物体の位置と物体の面荷重とに基づいて表示部３０を覆う物体の領域を推定する。
【００５８】
まず、位置検出部４０により表示部３０に対して押圧する物体の位置が検出されると、面荷重検出部７０は該押圧する物体の面荷重を検出する（ステップS２１）。
【００５９】
表示部３０を押圧する物体、例えばユーザの指の面荷重は一定のものではない。実験の結果、指先により大きな荷重がかかることが分かっている。このことから、表示部３０に対して押圧する物体の面荷重の大きさが、大きい方から小さい方に向かって物体の領域が広がっていることが想定される（ステップＳ２２）。このとき、物体の面荷重が最も重い点をＥ、最も軽い点をＦとし、線分ＥＦが物体の領域がある方向として想定する。なお、面荷重が最も軽い点Ｆは、荷重が検出されていることが前提であり、荷重が０であることはない。
【００６０】
ステップＳ２２において検出された物体の領域がある方向から、物体の領域を推定する（ステップＳ２３）。まず、検出された物体の面荷重のうち、最も上側、下側、左側、右側に検出された四点を求める。そして、求めた各点を通る物体の領域がある方向（線分ＥＦ）に対して平行な線を四線求める。この求めた四線のうち、外側にある二線と、物体の面荷重の縁（端）からなる領域を物体の領域とする。
【００６１】
図９は上述したステップＳ２１からステップＳ２３までの処理を行った場合の、携帯端末１０の表示部３０の動作例を示す図である。
【００６２】
図９（ａ）は、表示部３０に対して押圧する物体の面荷重を検出した状態である。この時、面荷重検出部７０は表示部３０に対して押圧する物体の面荷重を検出する。
【００６３】
図９（ｂ）は、検出された面荷重の大きさから物体の領域が広がる方向を想定している状態である。ユーザは星型六角形のオブジェクトの左上部分を強く押圧しており、右下に向かって押圧荷重を弱めていることが分かる。図では、検出された面荷重のうち最も重い点がＥ、最も軽い点がＦであり、物体の領域は、左上から右下に向かって斜めにあると想定される。
【００６４】
図９（ｃ）は、領域推定部５０により物体の領域を推定している状態である。位置検出部４０により物体の位置は星型六角形のオブジェクトの右上にあると検出される。この星型六角形のオブジェクト上で検出された物体の面荷重のうち、最も上側、下側、左側、右側に検出された四点を求める。そして、求めた各点を通る物体の領域がある方向（線分ＥＦ）に対して平行な線を四線求める。この求めた四線のうち、外側にある二線と、物体の面荷重の縁（端）からなる領域を物体の領域とする。
【００６５】
面荷重検出部７０を設けることにより、より正確に物体の領域を推定することができる。また、表示部３０を覆う物体の領域は、物体の幅を考慮して、実際に推定された領域よりも少し広げた領域にしておくことが望ましい。物体の領域を広げることにより、物体の領域に対応するオブジェクトを漏らすことなく判定することができる。
【００６６】
このように、本実施の形態においては、表示部３０（タッチパネル２０）を覆う物体の領域を、表示部３０に対して押圧する物体の位置と、面荷重検出部７０により検出される物体の面荷重に基づいて推定することにより、物体によって隠れた全てのオブジェクトの視認をすることができるように、表示部３０の表示変更を行うことができる。
【００６７】
（第３実施の形態）
次に、本発明の第３実施の形態に係る入力装置の一例である携帯端末１０について説明する。
【００６８】
第３実施の形態に係る入力装置は、上述した各実施の形態に係る入力装置１０において、領域推定部５０の動作を変更するものである。したがって、第３実施の形態に係る入力装置は、各実施の形態で説明した入力装置と同じ構成により実施することができるため、上述した各実施の形態と同じ説明は適宜省略する。
【００６９】
図１０は、第３実施の形態に係る携帯端末１０の内部構成を概略的に示す機能ブロック図である。図１０に示すように、携帯端末１０は、第１実施の形態に指紋情報検出部８０をタッチパネル２０内に更に備えている。この指紋情報検出部８０は、位置検出部４０の背面、表示部３０の前面に配設する。この指紋情報検出部８０は、表示部３０に対して押圧する物体の指紋情報を検出する。このため、指紋情報検出部８０は、表示部３０に対して押圧する物体であるユーザの指の指紋情報を検出するためのものであり、既存の電界検知式、静電容量式、感熱式、感圧式、光学式などを用いて構成する。この指紋情報検出部８０は、表示部３０の前面に配設するため、シート状など表示部３０にかかる場合は、表示部３０の表示を外部から視認できるように、例えば透明電極や透明フィルムや透明ガラスなどで構成される素材を用いる。
【００７０】
次に、本実施の形態におけるオブジェクトの表示変更処理について説明する。
【００７１】
図１１は、上述した第１実施の形態におけるオブジェクトの表示変更動作のうち、変更した領域推定部５０の動作を説明するフローチャートである。図４の第１実施の形態のフローチャートのステップＳ１２を変更したものであり、その他の動作は同一であるため、説明は省略する。
【００７２】
変更された領域推定部５０は、位置検出部４０により検出された物体の位置と物体の指紋情報とに基づいて表示部３０を覆う物体の領域を推定する。
【００７３】
まず、位置検出部４０により表示部３０に対して押圧する物体の位置が検出されると、指紋情報検出部８０は該押圧する物体の指紋情報を検出する（ステップS３１）。
【００７４】
ステップＳ３１において、指紋情報検出部８０により検出された物体の指紋情報と、予め登録されている指紋情報と、を比較し、押圧している物体の向き（方向）を判定する。押圧している物体の向きに基づいて、物体の領域がある方向を想定する（ステップＳ３２）。この時、予め登録されている指紋情報から物体の指先を判定する。物体の領域は、物体の指先を始点に、判定された物体の向きに広がっている。
【００７５】
予め登録されている指紋情報は指が真っ直ぐの状態、または任意の角度の状態で記憶されていることが望ましい。比較対象となる予め登録されている指紋情報に基づいて物体の向きを判定し、判定された物体の向きに基づいて、物体の領域を推定するため、指先の位置が明確に分かっていることが望ましいためである。
【００７６】
次に、領域推定部５０により物体の領域を推定する。指紋情報検出部８０により検出された物体の指紋情報において、最も上側、下側、左側、右側に検出された四点を求める。そして、求めた各点を通る物体の領域がある方向に対して平行な線を四線求める。この求めた四線のうち外側にある二線と、物体の指紋情報の縁（端）と、からなる領域を物体の領域とする（ステップＳ３３）。
【００７７】
指紋情報検出部８０を設けることにより、より正確に物体の領域を推定することができる。また、表示部３０を覆う物体の領域は、物体の幅を考慮して、実際に推定された領域よりも少し広げた領域にしておくことが望ましい。物体の領域を広げることにより、物体の領域に対応するオブジェクトを漏らすことなく判定することができる。
【００７８】
また、本実施の形態においては、指紋情報を例として説明をしたが、静脈情報でも対応可能である。表示部３０を覆う物体の情報を予め記憶することができるものであれば、対応することができる。
【００７９】
このように、本実施の形態においては、表示部３０（タッチパネル２０）を覆う物体の領域を、表示部３０に対して押圧する物体の位置と、指紋情報検出部８０により検出される物体の面荷重に基づいて推定することにより、物体によって隠れた全てのオブジェクトの視認をすることができるように、表示部３０の表示変更を行うことができる。
【００８０】
（第４実施の形態）
次に、本発明の第４実施の形態に係る入力装置の一例である携帯端末１０について説明する。
【００８１】
第４実施の形態に係る入力装置は、上述した各実施の形態に係る入力装置１０において位置検出部４０と、領域推定部５０と、の動作を変更するものである。したがって、第４実施の形態に係る入力装置１０は、各実施の形態で説明した入力装置と同じ構成により実施することができるため、上述した各実施の形態と同じ説明は適宜省略する。
【００８２】
図１２は、第４実施の形態に係る携帯端末１０の内部構成を概略的に示す機能ブロック図である。図１２に示すように、携帯端末１０は、第１実施の形態における位置検出部４０が、位置方向検出部９０となり、表示部３０を押圧する物体の位置を検出すると共に、該物体が表示部３０を押圧する向きを検出している。
【００８３】
この位置方向検出部９０は、表示部３０の前面に重ねて設け、表示領域を遮らないよう周辺に配設する。この位置方向検出部９０は、表示部３０を押圧する物体の位置と、該物体の向きと、を検出するためのものであり、例えば、タッチパネルを赤外遮光方式とすることにより、物体の位置と物体の向きの双方の検出が可能となる。
【００８４】
次に、上述した位置方向検出部９０と、表示部３０とを含めて構成されるタッチパネルの構成について、例を挙げて説明する。
【００８５】
図１３（ａ）は、図１２に示した入力装置（携帯端末）１０の表示部３０、位置方向検出部９０の構成を概略的に示す図である。図１３（ａ）は、本実施の形態によるタッチパネルの構成の例を示す図である。表示部３０の前面に、位置方向検出部９０を重ねて配設する。位置方向検出部９０は、ユーザが表示部３０に対して押圧する物体の位置を検出すると共に、表示部３０に対して押圧する物体の方向を検出する。位置方向検出部９０に使用される素子には、赤外遮光方式のタッチパネルを用いる。位置方向検出部９０は表示部３０の表示領域を囲むように配設されている。表示部３０の縁（端）のうち縦方向９０ａと横方向９０ｂのそれぞれ一端にＬＥＤなどを用いた発光部を、発光部に対面する縦方向９０ａと横方向９０ｂのそれぞれ一端に受光側を設ける。縦方向９０ａと横方向９０ｂの発光部からマトリックス状に光が発せられている。ユーザは、表示部３０を押圧する際にこの発光部から出ている光を遮るため、この光が遮られた縦方向、横方向の位置から表示部３０のどの位置が物体により押圧されているのか検出する。なお、図１３（ａ）は、本発明のタッチパネルを構成する部材の位置関係を明瞭に示すための概略図であり、実際は、タッチパネルを構成する各部材を、図に示すよりも近接して配設させることに留意すべきである。
【００８６】
また、図１３（ｂ）は図１３（ａ）のタッチパネル２０の内部構造を概略的に示す断面図である。表示部３０に対して押圧する物体の方向を検出するために、位置方向検出部９０を複数重ねて配設する。図では、位置方向検出部９０を二つ重ねている例を示す。また、矢印Ａが発光部から出ている光を表す。
【００８７】
ユーザは表示部３０を押圧する際に、物体を表示部３０と平行にするのではなく、多少の角度をつける。このことから、ユーザが遮る光を他段階で設けることにより、１段目の光を遮る位置と、２段目の光のみ遮る位置と、に基づいて押圧する物体の方向を検出することができる。図でも示すように、１段目の光を遮った位置から、２段目の光を遮った位置の方向に物体が存在する。このことから、位置方向検出部９０を他段階で設けることにより、表示部３０を押圧する物体の方向と位置を一の部で検出することができ、小型化、軽量化を図ることが可能となる。また、位置方向検出部９０は、表示部３０の表示領域の周辺に配設するため、表示部３０の表示領域を遮断するものが存在しないため、ユーザの視認性が良い。
【００８８】
次に、本実施の形態におけるオブジェクトの表示変更処理について説明する。
【００８９】
図１４は、上述した第１実施の形態におけるオブジェクトの表示変更動作のうち、変更した位置方向検出部９０、領域推定部５０の動作を説明するフローチャートである。図４の第１実施の形態のフローチャートのステップＳ１１およびステップＳ１２を変更したものであり、その他の動作は同一であるため、説明は省略する。
【００９０】
位置方向検出部９０は、表示部３０に対して押圧する物体の位置と、該物体の方向と、を検出する（ステップＳ４１）。この物体の位置と、該物体の方向と、が検出されると共に、該物体の幅（大きさ）も検出する。ユーザは表示部３０を押圧する際に、位置方向検出部９０の発光部から出ている光を遮るため、光が遮られた縦方向と横方向の位置から表示部３０のどの位置が押圧されたかを検出する。また、同時に、マトリックス状に発せられた複数の光のうち、どの光が遮られたかを検出することにより、物体の幅を検出する。さらに、複数段設けた位置方向検出部９０により、１段目の光と多段目の光を遮る位置により物体の方向を検出する。１段目の光を遮った位置から多段目の光を遮った位置の方向が、物体の向きである。
【００９１】
次に、領域推定部５０により物体の領域を推定する（ステップＳ４２）。領域推定部５０は、位置方向検出部９０により検出された物体の位置と物体の方向に基づいて表示部３０を覆う物体の領域の推定をする。ステップＳ４１にて、位置方向検出部９０により検出された物体の位置を始点に、物体の向きに物体の領域が存在すると推定する。この推定された物体の領域がある向きに、検出された物体の幅分の膨らみを持たせた領域を物体の領域とする。
【００９２】
位置方向検出部９０を設けることにより、より正確に物体の領域を推定することができる。また、表示部３０を覆う物体の領域は、物体の幅を考慮して、実際に推定された領域よりも少し広げた領域にしておくことが望ましい。物体の領域を広げることにより、物体の領域に対応するオブジェクトを漏らすことなく判定することができる。
【００９３】
さらに、位置方向検出部９０を設けることにより、複数の部（位置検出部４０と面荷重検出部７０、位置検出部４０と指紋情報検出部８０）で行っていた処理動作を一の部（位置方向検出部９０）で行うことができるようになるため、機器の小型化、軽量化に繋がる。また、表示部３０の前面にフィルタやガラスを設けることがないため、表示部３０の表示領域を遮断するものが存在せず、ユーザの視認性が良い。
【００９４】
このように、本実施の形態においては、表示部３０（タッチパネル２０）を覆う物体の領域を、位置方向検出部９０により検出される物体の位置と物体の方向に基づいて推定することにより、物体によって隠れた全てのオブジェクトの視認をすることができるように、表示部３０の表示変更を行うことができる。
【００９５】
なお、本実施形態では、ユーザが表示部３０に対して押圧を行った場合に表示変更の処理をするとしているが、例えば、位置検出部４０により検出された物体の位置が、表示部３０に表示されるオブジェクトの位置に対応する場合に、表示変更の処理を行うとしても良い。ユーザは入力操作を行いたい場合は、通常、操作したいオブジェクトを指示する。そのため、表示部３０のオブジェクト以外を押圧した場合は、誤って触れてしまったなどの可能性が高い。ユーザからオブジェクトを指示した場合に、表示変更の処理を行うことにより消費電力を削減することができる。
【００９６】
また、上記記載において、位置検出部４０または位置方向検出部９０が検出する「表示部に対して押圧する物体の位置」とは、「押圧している物体の位置」を意味するのみならず、「押圧しようとしている物体の位置」の意味を含む場合もあることに留意すべきである。
【００９７】
例えば静電容量式のタッチパネルなど、タッチパネルに触れることによって初めて位置検出ができる位置検出部４０を用いる場合、「押圧する物体の位置」とは、「（ユーザが実際に）押圧している物体の位置」を表す。この場合、位置検出部４０により押圧の位置が検出された状態とは、位置検出部４０が実際に押圧されている表示部の位置を検出している場合に他ならない。
【００９８】
一方、例えば赤外遮断式など、タッチパネル２０に触れることなく位置の検出ができる位置方向検出部９０を用いる場合、「押圧する物体の位置」とは、「（ユーザが実際に）押圧している物体の位置」のみならず、「（ユーザが今まさに）押圧しようとしている物体の位置」も含めた意味を有する。この場合、位置方向検出部９０により押圧する物体の位置が検出された状態とは、実際に表示部３０が押圧されているとは限らない。したがって、位置方向検出部９０により押圧の位置が検出され、表示部３０が実際に押圧されていない場合も含む。
【符号の説明】
【００９９】
１０・・・入力装置（携帯端末）
２０・・・タッチパネル
３０・・・表示部
４０・・・位置検出部
５０・・・領域推定部
６０・・・表示制御部
７０・・・面荷重検出部
８０・・・指紋情報検出部
９０・・・位置方向検出部
【図１】
2011022958.tif 000003
【図２】
2011022958.tif 000004
【図３】
2011022958.tif 000005
【図４】
2011022958.tif 000006
【図５】
2011022958.tif 000007
【図６】
2011022958.tif 000008
【図７】
2011022958.tif 000009
【図８】
2011022958.tif 000010
【図９】
2011022958.tif 000011
【図１０】
2011022958.tif 000012
【図１１】
2011022958.tif 000013
【図１２】
2011022958.tif 000014
【図１３】
2011022958.tif 000015
【図１４】
2011022958.tif 000016
【図１５】
2011022958.tif 000017